(57)【要約】【課題】  固定端子バネの切り起こしの角度のバラツキにより固定端子の固定位置にずれが生じない電磁リレーの提供。【解決手段】  ボディ１と、電磁石部２と、可動端子３１と固定端子３２とを有する接点部３と、カード４と、を備えた電磁リレーＡにおいて、ボディ１は、固定端子挿入溝１３ｂに圧入される固定端子ばね切り起こし３２ｃが圧入する面の他方の面に沿って延設されたガイド１４を備え、ガイド１４は、固定端子３２を所定の位置に固定するものである。【選択図】図１
2006012565.tif 000002
【特許請求の範囲】
【請求項１】
底部と該底部に固定端子挿入溝及び可動端子挿入溝とを有したボディと、コイルを巻回した鉄芯の一端部に結合された継鉄に回動自在に支持された接極子が鉄芯の他端部に吸引及び釈放される電磁石部と、固定ピンと固定端子ばね切り起こしと常閉固定接点とを有する固定端子と、可動ピンに可動端子ばね切り起こしを有する可動端子ブロックと該可動端子ブロックとを介して接続された常開可動接点を有する可動端子と、常開可動接点が常閉固定接点に接離する接点部と、前記接極子及び前記可動端子にそれぞれ当接して該接点部を開閉駆動する板状のカードと、前記ボディの底部から突設されて前記電磁石部及び該接点部間を絶縁する絶縁壁と、前記可動端子が前記固定端子に対して該電磁石部側へ配置され、一片及びその一片から突設した他片を有して略Ｌ字型に形成された前記絶縁壁は、他片が該電磁石部と前記接点部との間に設けられるとともに、前記可動端子が一片側へ位置して配設された電磁リレーであって、前記固定端子挿入溝及び前記可動端子挿入溝に前記固定端子ばね切り起こし及び前記可動端子ばね切り起こしを圧入して前記固定端子と前記可動端子を固定する電磁リレーにおいて、
前記ボディは、前記固定端子挿入溝に圧入される固定端子ばね切り起こしが圧入する面の他方の面に沿って延設されたガイドを備え、該ガイドは、前記固定端子を所定の位置に固定するものである電磁リレー。
【請求項２】
底部と該底部に固定端子挿入溝及び可動端子挿入溝とを有したボディと、コイルを巻回した鉄芯の一端部に結合された継鉄に回動自在に支持された接極子が鉄芯の他端部に吸引及び釈放される電磁石部と、固定ピンと固定端子ばね切り起こしと常閉固定接点とを有する固定端子と、可動ピンに可動端子ばね切り起こしを有する可動端子ブロックと該可動端子ブロックとを介して接続された常開可動接点を有する可動端子と、常開可動接点が常閉固定接点に接離する接点部と、前記接極子及び前記可動端子にそれぞれ当接して該接点部を開閉駆動する板状のカードと、前記ボディの底部から突設されて前記電磁石部及び該接点部間を絶縁する絶縁壁と、前記可動端子が前記固定端子に対して該電磁石部側へ配置され、一片及びその一片から突設した他片を有して略Ｌ字型に形成された前記絶縁壁は、他片が該電磁石部と前記接点部との間に設けられるとともに、前記可動端子が一片側へ位置して配設された電磁リレーであって、前記固定端子挿入溝及び前記可動端子挿入溝に前記固定端子ばね切り起こし及び前記可動端子ばね切り起こしを圧入して前記固定端子と前記可動端子を固定する電磁リレーにおいて、
前記固定端子挿入溝は、その内部に圧入される固定端子の先端部に対応した固定溝を設け、前記固定端子の先端部を固定溝に嵌めこむものである電磁リレー。
【発明の詳細な説明】
【技術分野】
【０００１】
本発明は、接極子の駆動力をカードを介して可動端子に伝達して、接点部を開閉駆動する電磁リレーに関するものである。
【背景技術】
【０００２】
従来、この種の電磁リレーとして、特開平１０−３２６５４９号公報に記載されたものがある。このものは、図１０に示すように、ボディ１０１と、コイル１２２を巻回した鉄芯１２１の一端部に結合された継鉄１２３に回動自在に支持された接極子１２４が鉄芯１２１の他端部に吸引及び釈放される電磁石部１０２と、固定ピン１３２ｂ及び可動ピン１３１ｅに固定端子１３２及び可動端子１３１を介してそれぞれ接続された常閉固定接点及び常開可動接点を有した接点部１０３と、接点部１０３を開閉駆動する板状のカード１０４と、電磁石部１０２及び接点部１０３間を絶縁する絶縁壁１１２とを備えた電磁リレーにおいて、絶縁壁１１２は、ボディ１０１上部に設けられた他片が電磁石部１０２と接点部１０３との間に設けられるとともに、可動ピン１３１ｅがボディ１０１上部に設けられた一片側へ位置して配置された構成にしてある。
【０００３】
この電磁リレーＢは、可動端子を電磁石部側へ配置した状態で、電磁石部１０２及び接点部間１０３を高絶縁化して小型化できる電磁リレーを提供するものである。
【０００４】
しかし、上述した技術では、例えば、図１１、図１２に示すように、固定端子１３２を固定端子挿入溝１１３ｂに挿入する際に、固定端子１３２のバネを切り起こし１３２ｃに圧入して固定端子挿入溝１１３ｂに挿入するが、バネの切り起こし１３２ｃの角度のバラツキにより、例えば、図１１（ｂ）に示すように、固定する所定の位置にずれが生じる場合があった。
【特許文献１】特開平１０−３２６５４９号公報
【発明の開示】
【発明が解決しようとする課題】
【０００５】
本願発明は、上記背景技術に鑑みて発明されたものであり、その課題は、固定端子バネの切り起こしの角度のバラツキにより固定端子の固定位置にずれが生じない電磁リレーを提供することにある。
【課題を解決するための手段】
【０００６】
上記課題を解決するために、本願発明は、底部と該底部に固定端子挿入溝及び可動端子挿入溝とを有したボディと、コイルを巻回した鉄芯の一端部に結合された継鉄に回動自在に支持された接極子が鉄芯の他端部に吸引及び釈放される電磁石部と、固定ピンと固定端子ばね切り起こしと常閉固定接点とを有する固定端子と、可動ピンに可動端子ばね切り起こしを有する可動端子ブロックと該可動端子ブロックとを介して接続された常開可動接点を有する可動端子と、常開可動接点が常閉固定接点に接離する接点部と、前記接極子及び前記可動端子にそれぞれ当接して該接点部を開閉駆動する板状のカードと、前記ボディの底部から突設されて前記電磁石部及び該接点部間を絶縁する絶縁壁と、前記可動端子が前記固定端子に対して該電磁石部側へ配置され、一片及びその一片から突設した他片を有して略Ｌ字型に形成された前記絶縁壁は、他片が該電磁石部と前記接点部との間に設けられるとともに、前記可動端子が一片側へ位置して配設された電磁リレーであって、前記固定端子挿入溝及び前記可動端子挿入溝に前記固定端子ばね切り起こし及び前記可動端子ばね切り起こしを圧入して前記固定端子と前記可動端子を固定する電磁リレーにおいて、前記ボディは、前記固定端子挿入溝に圧入される固定端子ばね切り起こしが圧入する面の他方の面に沿って延設されたガイドを備え、該ガイドは、前記固定端子を所定の位置に固定するものである。
【０００７】
また、底部と該底部に固定端子挿入溝及び可動端子挿入溝とを有したボディと、コイルを巻回した鉄芯の一端部に結合された継鉄に回動自在に支持された接極子が鉄芯の他端部に吸引及び釈放される電磁石部と、固定ピンと固定端子ばね切り起こしと常閉固定接点とを有する固定端子と、可動ピンに可動端子ばね切り起こしを有する可動端子ブロックと該可動端子ブロックとを介して接続された常開可動接点を有する可動端子と、常開可動接点が常閉固定接点に接離する接点部と、前記接極子及び前記可動端子にそれぞれ当接して該接点部を開閉駆動する板状のカードと、前記ボディの底部から突設されて前記電磁石部及び該接点部間を絶縁する絶縁壁と、前記可動端子が前記固定端子に対して該電磁石部側へ配置され、一片及びその一片から突設した他片を有して略Ｌ字型に形成された前記絶縁壁は、他片が該電磁石部と前記接点部との間に設けられるとともに、前記可動端子が一片側へ位置して配設された電磁リレーであって、前記固定端子挿入溝及び前記可動端子挿入溝に前記固定端子ばね切り起こし及び前記可動端子ばね切り起こしを圧入して前記固定端子と前記可動端子を固定する電磁リレーにおいて、前記固定端子挿入溝は、その内部に圧入される固定端子の先端部に対応した固定溝を設け、前記固定端子の先端部を固定溝に嵌めこむものが好ましい。
【発明の効果】
【０００８】
本願発明の電磁リレーによれば、ガイドが固定端子を所定の位置に固定するもので固定端子バネの切り起こしの角度のバラツキにより固定端子の固定位置にずれが生じない。
【０００９】
また、記固定端子の先端部を固定溝に嵌めこむので固定端子バネの切り起こしの角度のバラツキにより固定端子の固定位置にずれが生じない。
【発明を実施するための最良の形態】
【００１０】
本発明の第１の実施形態を図１から図５に基づいて以下に説明する。図１は、本発明の第１の実施形態に係る電磁リレーＡの構造を示す概略斜視図、図２（ａ）は同上の概略上面断面図、（ｂ）は同上の概略正面図、図３（ａ）は同上の固定端子３２の側面図、（ｂ）は正面図、（ｃ）は上面図、図４は同上のボディ１の一部破断した上面断面図、図５は同上の固定端子３２の固定端子挿入溝１３ｂに挿入する場合の説明図である。
【００１１】
ボディ１は、絶縁性の樹脂により、略直方体状に形成された底部１１と、一片１２ａ及びその一片１２ａから突設した他片１２ｂを有して略Ｌ字型に形成された絶縁壁１２とを設け、絶縁壁１２が底部１１と一体成形されて、その底部１１から突設される。ここで、係合溝１２ｃが絶縁壁１２の他片１２ｂに設けられて、他片１２ｂの突設方向に対する反対方向へ向かって切り欠かかれている。また、図４、図５に示すように、可動端子挿入溝１３ａ及び固定端子挿入溝１３ｂが設けられている。さらに、固定端子挿入溝１３ｂに沿ってガイド１４が延設されている。
【００１２】
電磁石部２は、で、鉄芯２１と、コイル２２と、継鉄２３と、接極子２４とを備えて構成される。鉄芯２１は、磁性材料により棒状に形成さている。
【００１３】
コイル２２は、絶縁物で被覆された銅線により、コイル枠の軸孔２２ａを、すなわち鉄芯２１を外囲して巻回され、その端末がコイル端子２２ｂに結線されている。継鉄２３は、磁性材料により、図示はしないが、一方片及び他方片を有して略Ｌ字型に形成され、前記一方片が鉄芯２１の一端部に、かしめ結合されて、前記他方片がコイル枠の軸孔２２ａに沿って並設される。
【００１４】
接極子２４は、磁性材料により、一片２４ａと他片２４ｂとを有して、鈍角で略Ｌ字型の長尺板状に折曲形成され、ヒンジばね（図示せず）によって押圧されることによって、継鉄２３の他方片２３ｂ端部に回動自在に支持されて、前記一片が鉄芯２１の他端部２１ｂに吸引及び釈放される。
【００１５】
接点部３は、可動端子３１と、固定端子３２とを備えて構成されている。可動端子３１は、弾性を有した銅合金により、板状に形成され、銀合金からなり常閉可動接点３１ａ及び常開可動接点３１ｂで形成される両可動接点３１ａ、３１ｂを一端部に固着し、第１折曲部３１ｃ及び第２折曲部３１ｄにて２段に折曲形成されて、他端部２１ｂが可動ピン３１ｅとなっている。すなわち、常閉可動接点３１ａ及び常開可動接点３１ｂが可動端子３１を介して可動ピン３１ｅに接続される。また、可動端子の切り起こし３１ｆが設けられている。
【００１６】
固定端子３２は、図３に示すように、銅又は銅合金の導電材料により、長尺板状に形成され、一端部に銀合金からなる常閉固定接点３２ａを常閉可動接点３１ａに対向するよう固着し、他端部２１ｂが固定ピン３２ｂ、いわゆるＮＣ端子となっている。すなわち、常閉固定接点３２ａが固定端子３２を介して固定ピン３２ｂに接続される。また、固定接点ばねの切り起こし３２ｃが設けられている。
【００１７】
カード４は、絶縁性の樹脂により、板状に形成され、一方端部及び他方端部を有して、可動端子３１に係止する。
【００１８】
ケース５は、絶縁性の樹脂により、有底箱形に形成され、ボディ１に嵌着される。
【００１９】
図１に示すように、可動ピン３１ｅに可動端子３１を介して接続された両可動接点３１ａ、３１ｂは、それぞれが一体化されて可動端子ブロック３ａを形成する。その可動端子ブロック３ａと、固定端子３２とは絶縁壁１２の他片１２ｂの突設方向へ、実装される。そして、絶縁壁１２は他片１２ｂが電磁石部２と接点部３との間に設けられて、接点部３が他片１２ｂに対して一片１２ａの反対側へ、電磁石部２が一片１２ａ側へそれぞれ配設される。ここで、可動端子３１が電磁石部２側へ向かって２段に折曲形成されているので、可動ピン３１ｅは、固定ピン３２ｂに対して、電磁石部２側へ配置されるとともに、絶縁壁１２の一片１２ａ側へ位置して配設される。
【００２０】
このように構成された電磁リレーＡは、図４及び図５に示すように、ボディ１の、固定端子挿入溝１３ｂに圧入される固定端子ばね切り起こし３２ｃ他方の側より固定端子挿入溝に沿って延設されたガイド１４を備えているので、ガイド１４により固定端子３２を固定位置に固定することができる。
【００２１】
従って、固定端子バネの切り起こし３２ｃの角度のバラツキにより、固定端子３２は、ボディ１の固定位置にずれが生じなくなる。
【００２２】
第２の実施形態の電磁リレーＡを図６、図７に基づいて説明する。図６は同上のボディ１の一部破断した上面断面図、図７は同上の固定端子３２の固定端子挿入溝１３ｂに挿入する場合の説明図である。このものは、第１の実施形態で説明したものとは、ボディ１の固定端子挿入溝１３ｂの形状を変えたのみであり、これ以外の構成要素は同じなので説明を省略する。
【００２３】
固定端子挿入溝１３ｂは、その内部に圧入される固定端子３２の先端部に対応した固定溝１５を設け、固定端子３２の先端部を固定溝１５に嵌めこむようになっている。
【００２４】
このように構成された電磁リレーＡは、図６及び図７に示すように、固定端子３２の先端部を固定溝１５にはめ込むので、固定端子３２を固定位置に固定することができる。
【００２５】
従って、固定端子バネの切り起こし３２ｃの角度のバラツキにより、固定端子３２は、ボディ１の固定位置にずれが生じなくなる。
【００２６】
図８、図９は、第１の実施形態で説明したガイド１４及び第２の実施形態で説明した固定溝１５を同一の固定端子挿入溝１３ｂに設けたものである。このものは、第１の実施形態及び第２の実施形態で説明したものとは、ボディ１の形状の形状を変えたのみであり、これ以外の構成要素は同じなので説明を省略する。
【００２７】
ボディ１は、絶縁性の樹脂により、略直方体状に形成された底部１１と、一片１２ａ及びその一片１２ａから突設した他片１２ｂを有して略Ｌ字型に形成された絶縁壁１２とを設け、絶縁壁１２が底部１１と一体成形されて、その底部１１から突設される。ここで、係合溝１２ｃが絶縁壁１２の他片１２ｂに設けられて、他片１２ｂの突設方向に対する反対方向へ向かって切り欠かかれている。また、図８、図９に示すように、可動端子挿入溝１３ａ及び固定端子挿入溝１３ｂが設けられている。さらに、固定端子挿入溝１３ｂに沿ってガイド１４が延設されている。
【００２８】
また、固定端子挿入溝１３ｂは、図８、図９に示すように、その内部に圧入される固定端子３２の先端部に対応した固定溝１５を設け、固定端子３２の先端部を固定溝１５に嵌めこむようになっている。
【００２９】
このように構成された電磁リレーＡは、ボディ１の固定端子挿入溝１３ｂに圧入される固定端子ばね切り起こし３２ｃ他方の側より挿入溝に沿って延設されたガイド１４を備え、さらに、固定端子挿入溝１３ｂは、その内部に圧入される固定端子３２の先端部に対応した固定溝１５を設け、固定端子３２の先端部を固定溝１５に嵌めこむようになっているので、より一層、固定端子３２を固定位置に固定することができる。
【００３０】
従って、固定端子バネの切り起こし３２ｃの角度のバラツキにより、固定端子３２は、ボディ１の固定位置にずれが生じなくなる。
【００３１】
なお、図示はしないが、可動端子挿入溝１３ａについても、第１の実施形態で説明したガイド及び第２の実施形態で説明した固定溝を設けることにより、可動端子３１を固定位置に固定することができる。
【図面の簡単な説明】
【００３２】
【図１】本発明の第１の実施形態に係る電磁リレーの構造を示す概略斜視図である。
【図２】（ａ）は同上の概略上面断面図、（ｂ）は同上の概略正面図である。
【図３】（ａ）は同上の固定端子の側面図、（ｂ）は正面図、（ｃ）は上面図である。
【図４】同上のボディの一部破断した上面断面図。
【図５】同上の固定端子の固定端子挿入溝に挿入する場合の説明図である。
【図６】第２の実施形態のボディの一部破断した上面断面である。
【図７】同上の固定端子の固定端子挿入溝に挿入する場合の説明図である。
【図８】別の実施形態のボディの一部破断した上面断面である。
【図９】同上の固定端子を固定端子挿入溝に挿入する場合の説明図である。
【図１０】特開平１０−３２６５４９号公報に記載の電磁リレーの斜視図である。
【図１１】同上のボディの一部破断した上面断面図である。
【図１２】同上の固定端子を固定端子挿入溝に挿入する場合の説明図である。
【符号の説明】
【００３３】
Ａ      電磁リレー
１      ボディ
１１    底部
１２    絶縁壁
１２ａ  一片
１２ｂ  他片
１３ａ  可動端子挿入溝
１３ｂ  固定端子挿入溝
１４    ガイド
１５    固定溝
２      電磁石部
２１    鉄芯
２１ｂ  他端部
２２    コイル
２３    継鉄
２４    接極子
３      接点部
３ａ    可動端子ブロック
３１    可動端子
３１ａ  常開可動接点
３１ｅ  可動ピン
３１ｆ  可動端子ばね切り起こし
３２    固定端子
３２ａ  常閉固定接点
３２ｂ  固定ピン
３２ｃ  固定端子ばね切り起こし
４      カード
【図１】
2006012565.tif 000003
【図２】
2006012565.tif 000004
【図３】
2006012565.tif 000005
【図４】
2006012565.tif 000006
【図５】
2006012565.tif 000007
【図６】
2006012565.tif 000008
【図７】
2006012565.tif 000009
【図８】
2006012565.tif 000010
【図９】
2006012565.tif 000011
【図１０】
2006012565.tif 000012
【図１１】
2006012565.tif 000013
【図１２】
2006012565.tif 000014